(57)【要約】【課題】  コンクリート橋桁の端面同士が対向して形成される狭隘部の劣化部をはつるはつり装置及び補修方法を提供する。【解決手段】  コンクリート橋桁端面７５同士が対向する狭隘部７３に挿入可能に形成され高圧水が供給される管体９の一端に装着されたノズル７と、ノズルを下端にして垂下させ管体を回転可能に支持する管体支持具１１と、管体を回転駆動させる駆動手段２７と、管体支持具を支持する支持架台１３と、支持架台が水平方向に走行可能に載置された基台１５と、支持架台を走行させる走行駆動手段１９とを備えてなるはつり装置１をフォークリフト２９の爪３１の上に載置し、狭隘部にノズルを位置させ、ノズルから高圧水を噴射させながら回転させ、狭隘部に沿ってノズルを水平方向に移動させ、次いで深さ方向に移動させる操作を繰り返して、狭隘部の劣化コンクリートをはつる。【選択図】  図１
2007218048.tif 000002
【特許請求の範囲】
【請求項１】
コンクリート橋桁の端面同士が対向する狭隘部に挿入可能に形成され一端に高圧水が供給される管体と、前記管体の他端に装着され前記管体の管軸に対して孔軸が角度を有して形成された高圧水が噴射される噴射孔を有するノズルと、前記ノズルを下に垂下させて前記管体を回転可能に支持する管体支持具と、前記管体支持具を直交３軸方向に移動可能に支持する移動支持手段と、前記管体を回転駆動させる駆動手段とを備えてなるコンクリート橋桁狭隘部のはつり装置。
【請求項２】
コンクリート橋桁の端面同士が対向する狭隘部に挿入可能に形成され一端に高圧水が供給される管体と、前記管体の他端に装着され前記管体の管軸に対して孔軸が角度を有して形成された高圧水が噴射される噴射孔を有するノズルと、前記ノズルを下に垂下させて前記管体を回転可能に前記管体を支持する管体支持具と、前記管体支持具を支持する支持架台と、前記支持架台が水平方向に走行可能に載置された基台と、前記支持架台の走行を案内するガイド部材と、前記支持架台を走行させる走行駆動手段と、前記管体を回転駆動させる駆動手段とを備えてなるコンクリート橋桁狭隘部のはつり装置。
【請求項３】
請求項２に記載のコンクリート橋桁狭隘部のはつり装置の前記基台をフォークリフトの爪の上に載置し、前記フォークリフトを操作して前記コンクリート橋桁の端面同士が対向する狭隘部に前記ノズルを位置させ、前記ノズルから高圧水を噴射し、前記コンクリート橋桁の端面に沿って前記ノズルを水平方向に移動させ前記コンクリート橋桁の端面のコンクリートをはつり、次いで深さ方向に移動させ前記コンクリート橋桁の端面のコンクリートをはつる操作を繰り返すことを特徴とするコンクリート橋桁狭隘部のはつり装置の使用方法。
【請求項４】
請求項１又は２に記載のコンクリート橋桁狭隘部のはつり装置において、前記噴射孔は、前記管体の管軸に対称に２又に形成されてなることを特徴とするコンクリート橋桁狭隘部のはつり装置。
【請求項５】
請求項１又は２に記載のコンクリート橋桁狭隘部のはつり装置において、前記噴射孔は、２又に分かれヒネリ又はネジリを加えて形成されてなることを特徴とするコンクリート橋桁狭隘部のはつり装置。
【請求項６】
請求項１、２、４又は５に記載のはつり装置を用いて、前記コンクリート橋桁の端面同士が対向する狭隘部の端面のコンクリートをはつり、はつり面に対向させて対向表面に突起が形成された樹脂シートを埋設型枠として使用し、前記はつり面と前記樹脂シートの間にコンクリートを注入してコンクリート橋桁狭隘部を補修する補修方法。
【請求項７】
請求項６に記載の補修方法において、前記突起は、円柱の上部に前記円柱の径よりも大きな径の円板を有してなることを特徴とするコンクリート橋桁狭隘部を補修する補修方法。
【発明の詳細な説明】
【技術分野】
【０００１】
本発明は、コンクリートで形成された橋桁の狭隘部をはつるためのはつり装置及びはつり装置の使用方法並びにコンクリート橋桁狭隘部の補修方法に関する。
【背景技術】
【０００２】
コンクリート橋梁を構成する橋桁は、通常、橋梁の長手方向に間隔を置いて配置された橋脚の上に掛け渡して設けられる。通常、橋脚上で隣り合う橋桁は、橋桁の伸び等を吸収するため端面同士を対向させかつ間隔をあけて設置されることから、橋脚の上部に橋桁の端面が対向する狭隘部が形成される。このような狭隘部のコンクリート面は、泥などの物質が詰まったり、雨水が流れ込むことで常に湿潤状態になる。これにより、コンクリート面が劣化したり、劣化が促進され、コンクリート橋梁の強度が低下させるおそれがある。
【０００３】
そこで、狭隘部の劣化したコンクリート面を取り除いて補修するため、例えば、削岩機やブレーカー等によってはつることが考えられる。しかし、削岩機やブレーカー等の先端のノミが狭隘部の内深部まで届かないため、狭隘部の周辺を広範囲にわたってはつる必要があるという問題がある。さらに、削岩機やブレーカー等によって狭隘部をはつると、橋桁の他の箇所に余計なひび割れを発生させるおそれがある。
【０００４】
また、特許文献１には、高圧水を供給する管体の一端にノズルを装着し、このノズルに孔軸が管体の管軸に対して角度を有する噴射孔を形成し、その管体を支持する管体支持具を直交３軸方向に移動可能に支持した劣化コンクリート層のはつり装置が記載されている。これによれば、例えば、橋脚上の橋桁の下面に対向させてノズルを位置させ、高圧水を噴射しながらコンクリート面に沿ってノズルを水平方向に移動させることにより、橋桁の他の箇所に余計なひび割れを発生させることなく、コンクリート面の劣化部をはつることができる。
【０００５】
【特許文献１】特開２００２−１６７９７６公報
【発明の開示】
【発明が解決しようとする課題】
【０００６】
しかし、特許文献１には、コンクリート橋梁の橋桁端面に形成される狭隘部の劣化コンクリート層をはつるはつり装置については考慮されていない。
【０００７】
本発明は、コンクリート橋桁の端面同士が対向して形成される狭隘部の橋桁端面の劣化コンクリートをはつるコンクリート橋桁狭隘部のはつり装置及びそのはつり装置の使用方法並びに補修方法を提供することを課題とする。
【課題を解決するための手段】
【０００８】
上記の課題を解決するため、本発明のコンクリート橋桁狭隘部のはつり装置は、コンクリート橋桁の端面同士が対向する狭隘部に挿入可能に形成され一端に高圧水が供給される管体と、前記管体の他端に装着され前記管体の管軸に対して孔軸が角度を有して形成された高圧水が噴射される噴射孔を有するノズルと、前記ノズルを下に垂下させて前記管体を回転可能に支持する管体支持具と、前記管体支持具を直交３軸方向に移動可能に支持する移動支持手段と、前記管体を回転駆動させる駆動手段とを備えてなることを特徴とする。
【０００９】
すなわち、管体支持具に垂下させた管体を下降させてコンクリート橋桁の端面同士が対向する狭隘部に挿入し、下端に装着されたノズルから高圧水を噴射することによって、狭隘部の橋桁端面の劣化コンクリート層をはつることができる。また、移動支持手段によりノズルを直交３軸方向、つまり、水平面上の狭隘部の延在方向に対して平行なＸ軸方向と、水平面上でＸ軸に直交するＹ軸方向と、狭隘部の深さ方向であるＺ軸方向とに移動させることにより、橋桁端面の全面の劣化コンクリート層をはつることができる。また、高圧水を噴射しているノズルを回転させることにより、狭隘部を形成する対向する２つの橋桁端面の劣化コンクリート層を同時にはつることが可能となり、劣化コンクリート層をはつる作業時間を短縮することができる。さらに、噴射孔を管軸に対して２又に形成すれば、一層、劣化コンクリートをはつる作業の効率を向上できる。また、ノズルが狭隘部内で触れ回るのを低減することができる。
【００１０】
また、本発明の他のコンクリート橋桁狭隘部のはつり装置は、管体を直交３軸方向に移動可能に支持する移動支持手段に代えて、管体支持具を支持する支持架台と、支持架台が水平方向に走行可能に載置された基台と、支持架台の走行を案内するガイド部材と、支持架台を走行させる走行駆動手段とを備えてコンクリート橋桁狭隘部のはつり装置を構成することができる。このはつり装置の場合、基台をフォークリフトの爪の上に載置し、水平方向（Ｘ軸方向）以外の直交２軸方向（Ｙ、Ｚ軸方向）は、フォークリフトにより管体を移動させるようにする。すなわち、フォークリフトを走行させてノズルを狭隘部の上部に位置させるとともにガイド部材を狭隘部に対して平行（Ｘ軸方向）に設置し、フォークリフトの爪を下降させることによりノズルを狭隘部の橋桁端面に位置させる。次に、ノズルから高圧水を噴射させながら回転させ、ガイド部材によりノズルを狭隘部の橋桁端面に沿って水平方向（Ｘ軸方向）に移動させ、水平方向（Ｘ軸方向）のはつりが終わったら、はつった分だけフォークリフトの爪を下降させ、ノズルを狭隘部に沿って深さ方向（Ｚ軸方向）に移動させる。そして、再び狭隘部に沿って水平方向（Ｘ軸方向）にノズルを移動させて狭隘部の橋桁端面をはつる。この操作を繰り返し行うことで橋桁端面の全面の劣化コンクリートをはつることができる。
【００１１】
また、本発明のコンクリート橋桁狭隘部の補修方法は、本発明のコンクリート橋桁狭隘部のはつり装置を用いて、コンクリート橋桁の端面同士が対向する狭隘部の端面のコンクリートをはつり、はつり面に対向させて対向表面に突起が形成された樹脂シートを保持し、前記はつり面と前記樹脂シートの間にコンクリートを注入してコンクリート橋桁狭隘部を補修することを特徴とする。
【００１２】
すなわち、樹脂シートをコンクリート埋設型枠として用いるとともに、樹脂シートの突起をコンクリートに埋め込ませて固定することにより、樹脂シートを橋桁端面とすることができる。これにより、型枠としての樹脂シートを取り除く必要がないから、補修作業の時間を短縮することができる。さらに、橋桁端面が樹脂シートによって形成されるため、水や泥等によってコンクリートが劣化されることを低減することができる。また、突起を有する樹脂シートにより橋桁端面のコンクリート面の強度を上げることができる。さらに、突起は、円柱の上部に円柱の径よりも大きな径の円板を設けることで、橋桁端面のコンクリート面と樹脂シートとの十分な付着が得られる。
【発明の効果】
【００１３】
本発明は、コンクリート橋桁の端面同士が対向して形成される狭隘部の橋桁端面の劣化コンクリートをはつるコンクリート橋桁狭隘部のはつり装置及びはつり装置の使用方法並びに補修方法を提供することができる。
【発明を実施するための最良の形態】
【００１４】
以下、本発明の実施の形態について図面を参照して説明する。なお、図１に示すように、紙面に垂直に向かう方向、つまり、水平面上の狭隘部の延在方向と平行な方向をＸ軸方向、水平面上でＸ軸に直交する方向をＹ軸方向、狭隘部の深さ方向をＺ軸方向とする。
【００１５】
（実施形態１）
図１に、本発明の実施形態１のコンクリート橋桁狭隘部のはつり装置１の側面図を示す。図示のように、本実施形態のコンクリート橋桁狭隘部のはつり装置１は、高圧水が供給される管体を構成するランス９と、ランス９の先端に装着されたノズル７と、ノズル７を下に垂下させてランス９を回転可能に支持する管体支持具であるギヤボックス１１と、ギヤボックス１１を支持する支持架台１３と、支持架台１３をＸ軸方向に走行可能に載置する基台であるベースプレート１５と、支持架台１３の走行を案内するガイド部材であるガイドレール１７と、支持架台１３を走行させる走行駆動手段である送りネジ棒１９とを備えて構成される。
【００１６】
ノズル７は、図３に示すように、ランス９の管軸６３に対して対称に２又に形成され、管軸６３に対して孔軸６１が角度θを有した噴射孔５を備えている。また、ランス９から供給される高圧水をウォータージェット３として形成し、噴射孔５から噴射するように形成されている。
【００１７】
ランス９は、円筒管を用いて形成され、スリーブ５９によって、適宜長さの円筒管をつなぐことで、狭隘部７５の深さに応じて長さに変えることができるようになっている。また、ランス９には、スイベルジョイント４１を介して高圧水が供給されるようになっている。スイベルジョイント４１は、固定される外筒と、この外筒に回転自由に装着された内筒とを有し、内筒にカップリング５１を介してランス９が連結され、外筒に高圧水供給ホース５５が連結されるようになっている。そして、スイベルジョイント４１は、金具４５を介して外筒を支持架台１３に固定して設けられている。
【００１８】
ギヤボックス１１は、金具４３を介して外筒を支持架台１３に固定して設けられ、図１、２に示すように、上下に一対の軸受５７を有し、これらの軸受５７を貫いてランス９が垂直に回転可能に支持されている。ランス９は、図示していないが、ギヤを介してオイルモーター２７に連結され、オイルモーター２７によって管軸６３の周りに回転されるようになっている。
【００１９】
支持架台１３は、水平に設けられた水平プレート３５と、水平プレート３５の一端に起立して垂直に支持される垂直プレート３７と、水平プレートの一端に対向する端部と垂直プレートの上端に渡して設けられる補強部材３９とで形成されている。また、水平プレート３５の下面には、送りネジ棒１９と噛み合わされ支持架台１３を走行させる送りネジナット４９と、ガイドレール１７に沿って支持架台１３を移動させるスライダー４７とが設けられている。
【００２０】
ベースプレート１５には、図２に示すように、側面の長端部に沿ってガイドレール１７が対向して設けられている。また、ガイドレール１７の間に送りネジ棒１９が位置され、送りネジ棒１９の両端部を回転自由に支持する送りネジ棒支持台２１が設けられている。さらに、送りネジ棒１９の片端部には、送りネジ棒１９を回転させる歯車２３と、歯車２３を回転駆動させる歯車駆動装置２５が設けられている。この歯車駆動装置２５により、送りネジ棒１９を回転させ、送りネジ棒１９に噛み合わされた送りネジナット４９を移動させることにより、支持架台１３をガイドレール１７に沿ってＸ軸方向に走行させることができる。また、ベースプレート１５の下面には、フォークリフト２９の爪３１を差込み固定する差込固定部３３が設けられている。
【００２１】
次に、本実施形態のコンクリート橋桁狭隘部のはつり装置１の使用方法について説明する。図１に示すように、コンクリート橋梁は、橋脚６５の上に設けられた支承６７の上に橋桁６９がある程度移動可能に設置されている。同一の橋脚６５に隣り合って設置される２つの橋桁６９の端面間には、橋桁６９の伸びを吸収するための遊間部と呼ばれる隙間が形成されている。つまり、対向する２つの橋桁端面７５によって狭隘部７３が形成されている。また、狭隘部７３の上部には、図示していないが、狭隘部７３を塞ぐための伸縮装置が設置されている。また、橋桁６９の上面には、アスファルトなどによって路面７１が形成されている。
【００２２】
ここで、狭隘部７３の劣化したコンクリート面をはつるために、まず、狭隘部７１の上部に設置された図示していない伸縮装置を取り外す。次に、コンクリート橋桁狭隘部のはつり装置１のベースプレート１５をフォークリフト２９の爪３１の上に載置し、フォークリフト２９を路面７１上でＸ軸及びＹ軸方向に走行操作して、コンクリート橋桁の端面同士が対向する狭隘部７３の位置にノズル７を位置させる。次いで、フォークリフト２９の爪３１を下げることによってノズル７をＺ軸方向に移動させて狭隘部７５に挿入する。ノズル７からウォータージェット３を噴射してコンクリート橋桁の端面のコンクリート層をはつる。そして、送りネジ棒１９を回転させてコンクリート橋桁の端面に沿ってノズル７をＸ軸方向に移動させてはつり部を移動させる。次いで、Ｚ軸方向に移動させてコンクリート橋桁の端面のコンクリート層をはつる操作を繰り返す。
【００２３】
このように、本実施形態のコンクリート橋桁狭隘部のはつり装置１を使用して、ノズル７をＸ、Ｙ、Ｚ軸方向に移動して、コンクリート橋桁の狭隘部７３の劣化コンクリートをはつることができる。
【００２４】
また、ウォータージェット３を噴射させながらノズル７を回転させて狭隘部７３に挿入することにより、狭隘部７３の対向する２つの橋桁端面７５を同時にはつることができる。これにより、劣化コンクリートをはつる作業時間を短縮することができる。さらに、噴射孔５を管軸６３に対して２又に形成しているため、一層、劣化コンクリートをはつる作業の効率を向上させることができる。
【００２５】
また、２又の噴射孔５の一方を塞ぎノズル７を回転させて対向する２つの橋桁端面７５をはつってもよい。これにより、ランス９に供給される高圧水の圧力を変えることなく、ノズル７を２又に分けたときよりもの高い圧力の高圧水をウォータージェット３としてノズル７から噴射することができる。
【００２６】
また、ウォータージェット３は、水圧７０Ｍｐａ〜２５０Ｍｐａで推量３０Ｌ／毎分〜１８０Ｌ／毎分の範囲でノズル７から噴射される。
【００２７】
また、ランス９の管軸６３に対して噴射孔５の孔軸６１の角度θを大きくするとはつり幅６４を大きくすることができる。例えば、管軸６３に対して各孔軸６１の角度２θを１５°にすると、幅６ｃｍ程度はつりができる。
【００２８】
また、噴射孔５は、ヒネリ又はネジリを加えることがで、効率良くコンクリートをはつることができる。
【００２９】
（実施形態２）
次に、図４に、本発明の実施形態２のコンクリート橋桁狭隘部のはつり装置７９の構成を示す。同図は、図１と同様、はつり装置７９の側面図である。本実施形態が実施形態１と相違する点は、フォークリフト２９の昇降機能に代えて、昇降装置８１を設けたことにある。そこで、実施形態１で既に説明した構成要素については、同一の符号を付して説明を省略する。
【００３０】
図示のように、本実施形態の昇降装置８１は、水平に設けられた基盤８３と、基盤８３上に垂直に設けられた対向する２つの昇降レール８５と、各昇降レール８５の上端部に渡して設けられる図示していない補強部材と、昇降レール８５の上端と基盤８３の端部を渡して設けられる補強部材８７とを備えている。また、２つの昇降レール８５に沿って昇降される昇降台８９が設けられている。昇降台８９は、図示していない昇降駆動手段によって昇降可能になっている。昇降駆動手段は、例えば、昇降台８９をチェーン等の索条により吊り下げ、索条をモータ等により巻き取り及び巻き出しすることによって、昇降台８９を昇降させるようになっている。昇降台８９に、実施形態１のはつり装置１を搭載して、本実施形態のはつり装置７９が形成される。
【００３１】
このように構成されることから、はつり装置７９をクレーンなどの重機を用いて吊り上げて、コンクリート橋桁の狭隘部７３の近傍に運び、はつり装置７９の支持架台１３の水平走行方向をＸ軸方向に合わせて、かつ、ノズル７を狭隘部７３に挿入可能な位置に設置する。そして、昇降装置８１の昇降台８９を降下させてノズル７を狭隘部７３の上端部に移動し、ノズル７からウォータージェット３を噴射する。このウォータージェット３の水圧によって狭隘部７３のコンクリート橋桁の端面のコンクリート層がはつられる。次いで、支持架台１３をガイドレール１７に沿ってＸ軸方向に移動させて、ノズル７を狭隘部７３に沿ってＸ軸方向に移動させて、支持架台１３の走行範囲に対応する狭隘部７３のコンクリート層をはつる。次いで、昇降台８９を降下させてノズル７をＺ軸方向に移動させ、同様の操作を繰り返す。
【００３２】
支持架台１３の走行範囲に対応する狭隘部７３のコンクリート層の全面のはつりが終了したら、昇降台８９を上昇させてノズル７を狭隘部７３から抜き出し、はつり装置７９をクレーンなどの重機を用いて吊り上げて、はつり対象の狭隘部７３に位置をずらして、同様の操作を繰り返す。
【００３３】
上述したように、本実施形態のはつり装置７９によれば、実施形態１と同様の効果が得られる。特に、支持架台１３を昇降させる昇降装置８１を設けたことから、はつり装置７９が設置された位置に対応する狭隘部７３のコンクリートの劣化部を自動的にはつることができる。
【００３４】
本実施形態２では、はつり対象の狭隘部７３の位置を変更するたびに、クレーンなどによりはつり装置７９を吊り下げて移動するようにしたが、狭隘部７３のＸ軸及びＹ軸方向にはつり装置７９を移動させる移動手段を設けることができる。この移動手段としては、例えば、昇降装置８１の基盤８３の下面に車輪を設けて構成することができる。このように構成することにより、支持架台１３と昇降装置８１と基盤８３の下面に設けた車輪とによって、管体支持具であるギヤボックス１１をＸ、Ｙ、Ｚ軸方向に移動可能に支持する移動支持手段を構成することができる。
【００３５】
この場合、基盤８３の少なくとも３箇所にジャッキ式の脚を設けることが望ましい。これによれば、ジャッキ式の脚を退避させて車輪を路面７１に接触させることにより移動可能にできる。一方、ジャッキ式の脚を進出させて車輪を路面７１から浮かせることにより、はつり装置７９を路面７１に固定させ、安定したはつり作業を行うことができる。また、ジャッキ式の脚の高さを調節することにより、基盤８３の傾きを調整して、狭隘部７３の橋桁端面７５に対してランス９を平行に挿入することができる。ジャッキ式の脚としては、基盤８３にねじ込んで設けられるねじ込み式のジャッキを適用できる。
【００３６】
（実施形態３）
次に、図５及び図６を用いて、本発明のコンクリート橋桁狭隘部を補修する補修方法の一実施形態について説明する。本実施形態は、本発明のはつり装置を用いてコンクリート橋桁狭隘部の劣化コンクリートをはつって除去した後のコンクリート橋桁の端部にコンクリート層を形成する補修方法である。
【００３７】
図５に示すように、実施形態１又は２のはつり装置１、７９を用いて、狭隘部７３の端面のコンクリートのはつり面９７に間隔をおいて対向させて樹脂シート９３を保持する。樹脂シート９３は、図６に示すように、例えば、ポリエチレン、ポリプロピレン等の耐食性に優れた熱可塑性の樹脂のシート９２材の一方の面に突出させて、複数の突起９１を間隔をあけて適宜配置して形成されている。突起９１は、円柱状の脚部９１ａの先端に脚部９１ａの径より大きな径の円板状の頭部９１ｂを有して形成されている。
【００３８】
このように形成される樹脂シート９３を、図５に示すように、スペーサ９９の両面にそれぞれシート材９２側の面を両面接着テープなどにより貼り付けて型枠を形成する。そして、樹脂シート９３の突起９１側の面をはつり面９７に対向させて樹脂シート９３を狭隘部７３内に挿入して固定する。次に、樹脂シート９３とはつり面９７との間に形成された空間１０１の底面と両側の側面を当て板９５により塞ぎ、空間１０１にコンクリートを打ち込む。空間１０１に打ち込んだコンクリートが固まったら、当て板９５とスペーサ９９を取り外す。これにより、コンクリート橋桁狭隘部の劣化コンクリートを除去したはつり面９７に、樹脂シート９３を表面とする補修コンクリート層が形成される。
【００３９】
すなわち、本実施形態の補修方法によれば、樹脂シート９３をコンクリート型枠として用いるとともに、樹脂シート９３の突起９１をコンクリートに埋め込ませて固定することにより、樹脂シート９３を橋桁端面７５とすることができる。これにより、型枠を構成する樹脂シート９３を取り除く必要がないから、補修作業の時間を短縮することができる。
【００４０】
また、一対の樹脂シート９３の間にスペーサ９９を設置することで、橋桁６９の伸びを吸収するための遊間部を端面間に形成することができる。さらに、橋桁端面７５が樹脂シート９３によって形成されるため、水や泥等によって補修コンクリート層が劣化されるのを低減できる。また、突起９１により補修コンクリート層の強度を高めることができ、かつ、補修コンクリート層と樹脂シート９３との結合を強固にできる。
【００４１】
なお、空間１０１に打ち込む補修コンクリートは、短期間に高い強度が得られる早強コンクリートを使用することが望ましい。これにより、短期間に高い強度の補修コンクリート層を形成することができる。
【００４２】
本実施形態では、樹脂シート９３をはつり面９７に対向させて保持する方法として、スペーサ９９の両面にそれぞれ樹脂シート９３を貼り付けた型枠を用いる例を説明したが、本発明はこれに限られるものではない。例えば、はつり面９７にモルタルを塗布し、そのモルタルが固まらないうちに樹脂シート９３の突起９１を差し込んで固定することにより、補修コンクリート層を形成することができる。又は、樹脂シート９３の突起９１を有する面に軽量モルタルを貼り付けて、はつり面９７に貼り付けて補修コンクリート層を形成することができる。また、樹脂シート９３の突起９１を有する面に軽量モルタルを貼り付けたものを、図５のような型枠として用い、空間１０１にコンクリートを打設して補修コンクリート層を形成することができる。
【図面の簡単な説明】
【００４３】
【図１】本願発明の実施形態１のコンクリート橋桁狭隘部のはつり装置の側面図である。
【図２】実施形態１のコンクリート橋桁狭隘部のはつり装置の平面図である。
【図３】実施形態１のコンクリート橋桁狭隘部のはつり装置のノズルの断面図である。
【図４】実施形態２のコンクリート橋桁狭隘部のはつり装置の側面図である。
【図５】実施形態３のコンクリート橋桁狭隘部の補修方法の橋桁端面の側面図である。
【図６】実施形態３のコンクリート橋桁狭隘部の補修に使用する樹脂シートの斜視図である。
【符号の説明】
【００４４】
１  はつり装置
３  ウォータージェット
５  噴射孔
７  ノズル
９  ランス
１１  ギヤボックス
１３  支持架台
１５  ベースプレート
１７  ガイドレール
１９  送りネジ棒
２１  送りネジ棒支持台
２３  歯車
２５  歯車駆動装置
２７  オイルモーター
２９  フォークリフト
３１  爪
３３  差込固定部
３５  水平プレート
３７  垂直プレート
３９  補強部材
４１  スイベルジョイント
４３、４５  金具
４７  スライダー
４９  送りネジナット
５１  カップリング
５３  高圧水供給ノズル
５５  高圧水供給ホース
５７  軸受
５９  スリーブ
６１  孔軸
６３  管軸
６４  はつり幅
６５  橋脚
６７  支承
６９  橋桁
７１  路面
７３  狭隘部
７５  橋桁端面
９７  はつり面
θ  角度
【図１】
2007218048.tif 000003
【図２】
2007218048.tif 000004
【図３】
2007218048.tif 000005
【図４】
2007218048.tif 000006
【図５】
2007218048.tif 000007
【図６】
2007218048.tif 000008